(57)【要約】      （修正有）【課題】粘土型からの取り外しを容易に行え、更に作成した粘土成型物や、粘土型自体を使用して物品の形や名称や色等を学習することができる粘土型及び粘土型セットを提供する。【解決手段】粘土型１０は、物品を特定する所定の輪郭形状を備えた平板状の物品形状プレート６０と、物品形状プレートが嵌入可能な切抜部５０を開設した内側プレート４０と、内側プレートを嵌入可能な凹部を形成した基部プレート２０と、を備え、物品形状プレートには、物品の絵柄が表示され、内側プレートには、物品が配置される背景の絵柄が表示され、基部プレートの凹部２３の底面には、内側プレートに記載された背景の絵柄と、物品形状プレートに表示された物品の絵柄とが表示されている。【選択図】図１
0003225647.tif 000002
【実用新案登録請求の範囲】
【請求項１】
物品を特定する所定の輪郭形状を備えた平板状の物品形状プレートと、
前記物品形状プレートを嵌入可能な切抜部を開設した内側プレートと、
前記内側プレートを嵌入可能な凹部を形成した基部プレートと、
を備え、
前記物品形状プレートには、前記物品の絵柄が表示され、
前記内側プレートには、前記物品が配置される背景の絵柄が表示され、
前記基部プレートの凹部の底面には、前記内側プレートに記載された前記背景の絵柄と、前記物品形状プレートに表示された前記物品の絵柄とが表示されていることを特徴とする粘土型。
【請求項２】
前記物品形状プレート、前記内側プレート、及び前記基部プレートは、スポンジ板で形成されていることを特徴とする請求項１に記載の粘土型。
【請求項３】
請求項１に記載の粘土型と、粘土とを備えることを特徴とする粘土型セット。
【請求項４】
前記粘土は植物由来の材質であることを特徴とする請求項３に記載の粘土型セット。
【請求項５】
複数の色彩を有する複数種の粘土を備えることを特徴とする請求項３に記載の粘土型セット。
【考案の詳細な説明】
【技術分野】
【０００１】
本考案は、粘土型、及び粘土型セットに関する。
【背景技術】
【０００２】
従来、所定形状の凹部を形成した平板形状の粘土型を用いて所定形状の粘土成型物を作成することが行われている。このような場合、粘土型の凹部に粘土を充填して取り出して粘土成型物とする。
【０００３】
特許文献１には、凹状の絵柄を形成した透明プラスチック成形体からなる粘土用押し型が記載されている。
【０００４】
特許文献２には、ゴム板、又はゴム板のような柔軟性と弾力を持つ素材を切り抜き、その切り抜いたあとの凹面を粘土、紙粘土の型として使用することが記載されている。
【先行技術文献】
【特許文献】
【０００５】
【特許文献１】特開２００６−１３０８２７号公報
【特許文献２】特開２００５−２３０５０６号公報
【考案の概要】
【考案が解決しようとする課題】
【０００６】
従来の粘土型では、粘土型を用いて作成された粘土成型物を部品として粘土造形作品を作成したり、それ自体を作品としたりする他、粘土成型物そのもので物品の形状を学習するために使用されている。
【０００７】
また、従来の粘土型は、硬質のものであり、粘土を充填した型を押すとき手に負担をかける他、充填した粘土が粘土型から取り外しにくいという問題がある。
【０００８】
また、考案者は、単に作成した粘土成型物だけでは効果的な知育を行うには十分ではなく、粘土型を用いて粘土成型物を作成する作業過程を通じて、また粘土型と作成した粘土成型物とを使用してより楽しく、かつ効果的に知育が可能であるとの発想を得た。
【０００９】
そこで、本考案は、作りたい柄の物品を選んで型から外し、そこに物品に似せて選んだ色の粘土を押し入れて成型することで物品の形や名称や色等を学習することができ、更に使用者の手に優しく、粘土の型からの取り外しを容易に行える粘土型及び粘土型セットを提供することを目的とする。
【課題を解決するための手段】
【００１０】
前記課題を解決する請求項１に記載の考案は、物品を特定する所定の輪郭形状を備えた平板状の物品形状プレートと、前記物品形状プレートを嵌入可能な切抜部を開設した内側プレートと、前記内側プレートを嵌入可能な凹部を形成した基部プレートと、を備え、前記物品形状プレートには、前記物品の絵柄が表示され、前記内側プレートには、前記物品が配置される背景の絵柄が表示され、前記基部プレートの凹部の底面には、前記内側プレートに記載された前記背景の絵柄と、前記物品形状プレートに表示された前記物品の絵柄とが表示されていることを特徴とする粘土型である。
【００１１】
同じく、請求項２に記載の考案は、請求項１に記載の粘土型において、前記物品形状プレート、前記内側プレート、及び前記基部プレートは、スポンジ板で形成されていることを特徴とする。
【００１２】
同じく、請求項３に記載の考案は、請求項１に記載の粘土型と、粘土とを備えることを特徴とする粘土型セットである。
【００１３】
同じく、請求項４に記載の考案は、請求項３に記載の粘土型セットにおいて、前記粘土は植物由来の材質であることを特徴とする。
【００１４】
同じく、請求項５に記載の考案は、請求項３に記載の粘土型セットにおいて、複数の色彩を有する複数種の粘土を備えることを特徴とする。
【考案の効果】
【００１５】
請求項１に係る粘土型によれば、基部プレートの凹部に内側プレートを配置した状態で内側プレートの切抜部に粘土を押し入れ、その後、内側プレートを基部プレートから外し、内側プレートに押し入れた粘土を指で押し出して内側プレートの切抜部から容易に取り外すことができる。また、物品形状プレート、内側プレート、基部プレートには、物品の絵柄、背景の絵柄が表示されているので、物品の形や名称や色等を学習できるとともに基部プレートに内側プレートを配置した状態で、物品形状プレート又は成型した板状型粘土を内側プレートの切抜部にはめ込む等してパズルのようにして遊ぶことができる。
【００１６】
請求項２に係る粘土型によれば、各プレートはスポンジ板で形成されているので柔軟であり、使用者、特に幼児、若年者の手指を痛めることを防止できる。
【００１７】
請求項３に係る粘土型セットによれば、基部プレートの凹部に内側プレートを配置した状態で内側プレートの切抜部に粘土を押し入れ、その後、内側プレートを基部プレートから外し、内側プレートに押し入れた粘土を指で押し出して内側プレートの切抜部から容易に取り外すことができる。
また、物品形状プレート、内側プレート、基部プレートには、物品の絵柄、背景の絵柄が表示されているので、物品の形や名称を学習できるとともに基部プレートに内側プレートを配置した状態で、物品形状プレート又は成型した板状型粘土を内側プレートの切抜部にはめ込む等してパズルのようにして遊ぶことができる。そして、粘土型の他に粘土を準備する必要がなく、手軽に使用できる。
【００１８】
請求項４に係る粘土型セットによれば、粘土は、植物由来の、例えばトウモロコシ、米を原料とするものである。このため、使用者、特に幼児や若年者が手指で触れたり、誤って口に入れたりしても健康への影響が少ない。
【００１９】
請求項５に係る粘土型セットによれば、作成する物品にあわせて粘土の色彩を選択したり混合することで新たな色を作成したりすることができ、物品の色彩についての学習を行うことができる。
【図面の簡単な説明】
【００２０】
【図１】本考案の実施形態に係る粘土型を示す図である。
【図２】本考案の実施形態に係る粘土型セットを示す図である。
【図３】本考案の実施形態に係る粘土型セットの使用状態を（ａ）〜（ｆ）の順に示す写真である。
【図４】本考案の実施形態に係る粘土型セットの使用状態を（ａ）〜（ｅ）の順に示す図１のＡ−Ａ線に沿う断面図である。
【図５】本考案に係る粘土型のバリエーションを示す図である。
【考案を実施するための形態】
【００２１】
本考案を実施するための形態に係る粘土型及び粘土型セットについて説明する。
【００２２】
まず、本考案の実施形態に係る粘土型について説明する。図１は本考案の実施形態に係る粘土型を示す図である。
【００２３】
本実施形態に係る粘土型１０は、野菜畑をテーマとしたものであり、粘土型に粘土を押し込んで物品を模した平板状の粘土成型物を作成するものである。
【００２４】
図１に示すように、粘土型１０は、物品形状プレートである野菜形状プレート６０と、この野菜形状プレート６０が嵌入可能な野菜形状切抜部５０を開設した内側プレート４０と、この内側プレートが嵌入可能な凹部２３を形成した基部プレート２０とから構成されている。
【００２５】
＜野菜形状プレート６０＞
野菜形状プレート６０は、野菜を特定する所定の輪郭形状を備え、野菜の絵柄がカラーイラストレーションとして表示されている。本例では、野菜形状プレート６０は、大根形状プレート６１、人参形状プレート６２、ピーマン形状プレート６３、トウモロコシ形状プレート６４、トマト形状プレート６５、ジャガイモ形状プレート小６６、ジャガイモ形状プレート大６７、及びジャガイモ葉形状プレート６８を１組として構成される。
【００２６】
また、野菜形状プレート６０は、それぞれ、所定の厚さ寸法を備える硬質のスポンジ板の表面に図柄が印刷された厚紙が貼り付けられて形成されている。野菜の絵柄は厚紙の表面に印刷されて描かれている。
【００２７】
例えば図４に示すように、大根形状プレート６１は、スポンジ板６１ａに厚紙６１ｂを貼り付けて構成され、人参形状プレート６２は、スポンジ板６２ａに厚紙６２ｂを貼り付けて構成され、ジャガイモ葉形状プレート６８はスポンジ板６８ａに厚紙６８ｂを貼り付けて構成されており、厚さ寸法は６〜８ｍｍ程度とする。本例ではスポンジ板の厚さ寸法は５〜７ｍｍ程度とし、厚紙の厚さ寸法は１ｍｍ程度とすることができる。また、野菜の種類により異なるが、野菜形状プレート６０の高さ寸法は２０〜６０ｍｍ程度、幅寸法は２０〜３０ｍｍ程度とすることができる。なお、スポンジ板、厚紙の厚さ寸法、及び各野菜形状プレートの寸法は必要に応じて他の値を選択することができる。
【００２８】
＜内側プレート４０＞
内側プレート４０は、野菜形状プレート６０と同じ厚さ寸法（６〜８ｍｍ程度）であり、硬質のスポンジ板４０ａ（厚さ寸法５〜７ｍｍ程度）に厚紙４０ｂ（厚さ寸法１ｍｍ程度）を貼り付けられて構成されている（図４参照）。また、内側プレート４０は、後述する基部プレート２０の凹部２３に嵌まりこむ大きさ形状であり、幅寸法１５０ｍｍ程度、高さ寸法１４０ｍｍ程度であり、曲線部分を含む略矩形をなしている。なお、基部プレートの寸法は必要に応じて他の値を選択することができる。
【００２９】
厚紙４０ｂの表面には野菜の栽培状態を示す内側プレート背景イラストレーション４１が印刷されて表示されている。本例では、図１に示すように内側プレート背景イラストレーション４１としては、空、雲、昆虫、動物、地中の状態、作物の茎、葉、根等が描かれている。
【００３０】
また、内側プレート４０には、上述した背景中の所定位置に、野菜形状プレート６０を嵌入可能な野菜形状切抜部５０が開設されている。即ち、内側プレート４０には、野菜形状切抜部５０として、大根形状切抜部５１、人参形状切抜部５２、ピーマン形状切抜部５３、トウモロコシ形状切抜部５４、トマト形状切抜部５５、ジャガイモ小切抜部５６、ジャガイモ大切抜部５７、ジャガイモ葉形状切抜部５８が開設されている。各野菜形状切抜部５０には対応する野菜形状プレート６０をはめ込むことができる。
【００３１】
更に、内側プレート４０の外周の一部（本例では図中右側縁部の下側部）には、使用者が内側プレート４０を基部プレート２０から取り外すときに使用できる指掛凹部５９が切欠形成されている。
【００３２】
＜基部プレート２０＞
基部プレート２０は、幅寸法１８０ｍｍ程度、高さ寸法１７０ｍｍ程度の方形状の板状部材である。基部プレート２０は、厚さ寸法０．５ｍｍ程度の底板２１と、この底板２１の上面の周縁に沿って配置された周縁部２２とから構成されている。これにより、周縁部２２の内側には、内側プレート４０が嵌入可能な凹部２３が形成される。また、基部プレート２０の寸法は必要に応じて他の値を採用することができる。
【００３３】
周縁部２２は内側プレート４０と同じ厚さ寸法（５〜７ｍｍ程度）を備えた硬質のスポンジ板２２ａの上面に厚さ寸法１ｍｍ程度の厚紙２２ｂを貼り付けられて構成される。このため、凹部２３に内側プレート４０を挿入したとき面一となる。
【００３４】
基部プレート２０において、凹部２３の底面、即ち底板２１の上面には、野菜イラストレーション３０と、野菜の栽培状態を描いた背景イラストレーション３９とが表示される。野菜イラストレーション３０として、大根３１、人参３２、ピーマン３３、トウモロコシ３４、トマト３５、ジャガイモ小３６，ジャガイモ大３７、ジャガイモ葉３８が表示される。
【００３５】
なお、粘土型１０における基部プレート２０の周縁部２２、内側プレート４０、及び各野菜形状プレート６０は、一枚のスポンジ板とこの表面に貼付した一枚の厚紙とからなる１枚の板材から作成することができる。厚紙の表面に野菜形状プレート６０が表示するイラストレーションと、内側プレート４０の表面に表示する内側プレート背景イラストレーション４１とを印刷して、野菜形状プレート６０及び内側プレート４０をプレス装置等で打ち抜く。これにより、野菜形状プレート６０と、内側プレート４０と、内側プレート４０を切り抜いた周囲の残り部分を周縁部２２として作成できる。そして、周縁部２２を野菜イラストレーション３０と背景イラストレーション３９を表示した底板２１に貼り付けて、基部プレート２０を作成し、周縁部２２の内側を凹部２３とする。
【００３６】
＜粘土型セット８０＞
本発明では、図２に示すように、上述した粘土型１０と、この粘土型１０で使用する粘土７０とをあわせて粘土型セット８０としている。この粘土型セット８０に使用する粘土は、植物由来、本例ではトウモロコシを原料とするものである。このため、使用者、特に幼児が手指で触れたり、誤って口に入れたりしても健康への影響が少ない。なお、粘土は他の植物素材、例えば小麦、米等を原料とすることができる。
【００３７】
また、本例に係る粘土型セット８０では、粘土７０として、赤色粘土７１、黄色粘土７２、緑色粘土７３、白色粘土７４の４種のものを使用している。なお、図中符号、７６、７７、７８、７９は、赤色粘土７１、黄色粘土７２、緑色粘土７３、白色粘土７４を包装する粘土容器を示している。なお、粘土の色は上述した４色に限らず、他の色の組み合わせとすること、更に色数も適宜変更することができる。粘土容器としては合成樹脂製の袋等を使用できる。
【００３８】
＜粘土型セット８０の使用法＞
次に粘土型セット８０の使用法について説明する。図３は本考案の実施形態に係る粘土型セットの使用状態を（ａ）〜（ｆ）の順に示す写真、図４は本考案の実施形態に係る粘土型セットの使用状態を（ａ）〜（ｅ）の順に示す断面図である。
【００３９】
初期状態において、基部プレート２０の凹部２３に内側プレート４０を配置し、更に内側プレート４０の大根形状切抜部５１、人参形状切抜部５２、ピーマン形状切抜部５３、トウモロコシ形状切抜部５４、トマト形状切抜部５５、ジャガイモ小切抜部５６，ジャガイモ大切抜部５７、ジャガイモ葉形状切抜部５８にそれぞれ大根形状プレート６１、人参形状プレート６２、ピーマン形状プレート６３、トウモロコシ形状プレート６４、トマト形状プレート６５、ジャガイモ形状プレート小６６，ジャガイモ形状プレート大６７、ジャガイモ葉形状プレート６８が配置されている（図４（ａ））。
【００４０】
この状態から、人参形状の粘土形成物を作成する場合について説明する。この場合、基部プレート２０に内側プレート４０を配置した状態で、すべての野菜形状プレート６０を取り外す。このとき、内側プレート４０を基部プレート２０から取り外して作業を行うと、指先で野菜形状プレート６０を押し出すことで簡単に取り外せる。
【００４１】
次いで、図４（ｂ）に示すように、基部プレート２０の凹部２３に内側プレート４０を配置する。このとき、基部プレート２０の凹部２３の底面には、栽培状態の野菜イラストレーション３０が所定位置に表示されているので、野菜形状切抜部５０を通して各野菜のイラストレーションを視認できる。このため、内側プレート４０のどの野菜形状切抜部５０に粘土７０を詰めれば所望の野菜についての粘土成型物を作成できるかが一目で理解できる。
【００４２】
例えば、人参形状の粘土成型物を作成するには、内側プレート４０の人参形状切抜部５２に赤色粘土７１と、緑色粘土７３を詰め込む（図４（ｃ））。このとき、図３（ａ）に示すように、人参形状切抜部５２の軸部５２ａに赤色粘土７１から取り分けた赤色粘土片７１ａを詰め込み、図３（ｂ）に示すように、人参形状切抜部５２の葉部５２ｂに緑色粘土７３から取り分けた緑色粘土片７３ａを詰め込む。これにより、図３（ｃ）、（ｄ）に示すように人参形状切抜部５２内に人参の色彩に合致したものができる。このとき、人参形状切抜部５２に詰めるべき粘土の色は、野菜形状切抜部５０を通して視認できる野菜形状切抜部５０の人参形状切抜部５２に表示されたイラストレーションにより容易に理解できる。
【００４３】
次いで、図３（ｃ）、（ｄ）、及び図４（ｄ）に示すように、基部プレート２０から内側プレート４０を取り外す。このとき、図３（ｃ）に示すように、手指の先を内側プレート４０の指掛凹部５９に引っかけて内側プレート４０を引き出すと、図３（ｄ）に示すように、内側プレート４０を基部プレート２０から容易に取り外せる。
【００４４】
そして、図４（ｅ）に示すように、人参粘土プレート８２を人参形状切抜部５２から取り外す。このとき、図３（ｅ）に示すように、内側プレート４０の片面側（図３（ｅ）では表面側）から手指で人参粘土プレート８２を押し、粘土成型物を極めて容易に内側プレート４０から取り外すことができる。これにより、図３（ｆ）に示すように、人参粘土プレート８２が作成できたことになる。
【００４５】
他の野菜形状切抜部５０を利用して他の種類の粘土成型物を作成するにも同様の手順を行う。また、すべての種類の粘土成型物を作成するときも同様の手順で行うことができる。
【００４６】
なお、上記実施形態では、粘土として粘土型セット８０に附属の粘土７０を使用したが、手持ちの粘土を使用することができる。このとき、安全性を担保するため、植物素材のものを使用することが望ましい。
【００４７】
また、本例に係る粘土型１０の使用を終了して片付けるとき、基部プレート２０に内側プレート４０をはめ込み、内側プレート４０に野菜形状プレート６０をはめ込んだ状態とすれば、全体として一枚の板状とすることができ、収納に場所を大きなスペースを必要としない。
【００４８】
本実施形態に係る粘土型及び粘土型セットによれば、内側プレート４０に押し入れた粘土７０を指で押し出して内側プレート４０の野菜形状切抜部５０から容易に取り外すことができる。
また、野菜形状プレート６０、内側プレート４０、基部プレート２０には、野菜イラストレーション３０、栽培状態を示す背景イラストレーション３９が表示されている。このため、野菜イラストレーション３０や粘土製野菜プレートの作成を通じて、野菜の名称、野菜の生育状態、形や色を学習できる。
【００４９】
また、基部プレート２０に内側プレート４０を配置した状態で、野菜形状プレート６０や成型した粘土製野菜プレートを内側プレート４０の野菜形状切抜部５０にはめ込む等してパズルとして遊びつつ、野菜の形状、色、栽培状態を学ぶことができる。
【００５０】
更に、本実施形態に係る粘土型１０及び粘土型セット８０にあっては、基部プレート２０、内側プレート４０、野菜形状プレート６０はスポンジ板で形成されているので、使用者、特に若年者の手指を痛めることを防止できる。
【００５１】
そして、本実施形態に係る粘土型セットによれば、粘土型１０の他に粘土を準備する必要がなく、手軽に使用できる。また、粘土型１０は植物由来のトウモロコシを原料とするものであるので、使用者、特に幼児の皮膚や手指に悪影響がなく、また誤って幼児が粘土を口に入れても健康被害は発生しづらい。
【００５２】
また、本実施形態に係る粘土型セット８０によれば、作成する物品にあわせて粘土の色彩を選択したり、混色したりすることができる。このため、本物の野菜に近い色合いの粘土成型物を作成でき、野菜の色彩や、色彩の混色原理についての学習を行うことができる。
【００５３】
上記実施形態では、粘土型１０は、野菜畑をテーマとした。しかし、このテーマは種々選択することができる。図５は本考案に係る粘土型のテーマのバリエーションを示す図である。
【００５４】
図５（ａ）に示した粘土型１０は、上述した野菜畑をテーマとしたものである。その他のテーマとして、図５（ｂ）に示す粘土型１１は、昆虫をテーマにしている。森の風景を背景として各種昆虫を物品形状プレートとしている。図５（ｃ）に示す粘土型１２は、恐竜をテーマにしている。原始時代の風景を背景に各種恐竜を物品形状プレートとしている。
【００５５】
また、図５（ｄ）に示す粘土型１３はスイーツをテーマにしている。スイーツ棚を背景として各種スイーツを物品形状プレートとしている。図５（ｅ）に示す粘土型１４は果物をテーマにしている。果物畑を背景にして各種果物を物品形状プレートとしている。図５（ｆ）に示す粘土型１５は動物をテーマにしている。動物園における動物配置図を背景として、各種動物を物品形状プレートとしている。
【００５６】
更に、図５（ｇ）に示す粘土型１６は乗り物をテーマにしている。各種の乗り物の運用場所を背景として各種乗り物を物品形状プレートとしている。図５（ｈ）に示す粘土型１７は魚をテーマにしている。海中の情景を背景として各種魚介類を物品形状プレートとしている。
【００５７】
そして、図５（ｉ）に示す粘土型１８はお子様ランチをテーマにしている。お子様ランチ用のプレートを背景にして、各種料理を物品形状プレートにしている。図５（ｊ）に示す粘土型１９はパン屋さんをテーマにしている。パンの販売車を背景にして各種パンを物品形状プレートとしている。
【００５８】
図５（ｂ）〜（ｊ）に示した粘土型１１〜１９を粘土型セットとするときには、各粘土型で物品形状プレートとしたものに適合した色の粘土を、各粘土型と組み合わせることが好適である。これらの粘土型セットを構成する粘土型と粘土とは、外面等に各テーマに即したイラストレーションを描いたパッケージに梱包され商品とされる。
【産業上の利用可能性】
【００５９】
本考案に係る粘土型及び粘土型セットは、粘土型からの取り外しを容易に行え、更に作成した粘土成型物や、粘土型自体を使用して物品の形や名称や色等を学習することができ産業上の利用可能性がある。
【符号の説明】
【００６０】
１０      ：粘土型
１１〜１９：粘土型
２０      ：基部プレート
２１      ：底板
２２      ：周縁部
２２ａ    ：スポンジ板
２２ｂ    ：厚紙
２３      ：凹部
３０      ：野菜イラストレーション
３１      ：大根
３２      ：人参
３３      ：ピーマン
３４      ：トウモロコシ
３５      ：トマト
３６      ：ジャガイモ小
３７      ：ジャガイモ大
３８      ：ジャガイモ葉
３９      ：背景イラストレーション
４０      ：内側プレート
４０ａ    ：スポンジ板
４０ｂ    ：厚紙
４１      ：内側プレート背景イラストレーション
５０      ：野菜形状切抜部
５１      ：大根形状切抜部
５２      ：人参形状切抜部
５２ａ    ：軸部
５２ｂ    ：葉部
５３      ：ピーマン形状切抜部
５４      ：トウモロコシ形状切抜部
５５      ：トマト形状切抜部
５６      ：ジャガイモ小切抜部
５７      ：ジャガイモ大切抜部
５８      ：ジャガイモ葉形状切抜部
５９      ：指掛凹部
６０      ：野菜形状プレート
６１      ：大根形状プレート
６１ａ    ：スポンジ板
６１ｂ    ：厚紙
６２      ：人参形状プレート
６２ａ    ：スポンジ板
６２ｂ    ：厚紙
６３      ：ピーマン形状プレート
６４      ：トウモロコシ形状プレート
６５      ：トマト形状プレート
６６      ：ジャガイモ形状プレート小
６７      ：ジャガイモ形状プレート大
６８      ：ジャガイモ葉形状プレート
６８ａ    ：スポンジ板
６８ｂ    ：厚紙
７０      ：粘土
７１      ：赤色粘土
７１ａ    ：赤色粘土片
７２      ：黄色粘土
７３      ：緑色粘土
７３ａ    ：緑色粘土片
７４      ：白色粘土
８０      ：粘土型セット
８２      ：人参粘土プレート
【図１】
0003225647.tif 000003
【図２】
0003225647.tif 000004
【図３】
0003225647.tif 000005
【図４】
0003225647.tif 000006
【図５】
0003225647.tif 000007